(57)【特許請求の範囲】
【請求項１】
外装部材の側壁の一部に、少なくとも１つの通風用開口部を有する筐体装置において、
上記開口部は、外装部材の側壁自体を穿って形成された孔からなり、さらに、上記外装部材の側壁面に垂直に投影したときに上記開口部の下側端部のみを覆う面を備えたカバー部材を、上記外装部材の内壁面から離間して設置したことを特徴とする筐体装置。
【請求項２】
請求項１において、上記開口部を覆うカバー部材の面が上記外装部材の内壁面に対して上側の方が下側の方に比べて上記外装部材の内壁面から大きく離れて傾いていることを特徴とする筐体装置。
【請求項３】
請求項１または請求項２において、上下に長い複数の開口部を左右に一列に並べて配置し、複数の開口部にわたって上記カバー部材を配置したことを特徴とする筐体装置。
【請求項４】
請求項１、請求項２または請求項３において、上記外装部材は内視鏡用光源装置の筐体であることを特徴とする筐体装置。
【発明の詳細な説明】
【０００１】
【発明の属する技術分野】
本発明は、内視鏡用光源装置等の筐体装置に係り、特に、外装部材の側壁に少なくとも１つの開口部を有した筐体装置に関する。
【０００２】
【従来の技術】
一般に、内視鏡用の光源装置や電源装置等の筐体における側壁（リア側の壁も含む）には外部に開放する開口部が設けられている。この開口部の代表的なものとして、筐体に内蔵したランプや電子部品などの部品を冷却する為に冷却風を通過させる換気用ダクト（通風窓）がある。
【０００３】
通常、換気用ダクトは複数の孔からなる通気口を形成している。この通気口は通常、外部に開放しているので、仮に装置の筐体上面から液体をかけられた際でも、通気口から筐体内に勢いよく液体が進入しないようにした様々な工夫がなされていた。
【０００４】
例えば、実開昭６３−１９８０２１号公報に示された医療用電気機器にあっては装置筐体の外側壁面において、ダクトの上部に位置して、斜めのひさしが、別部品として取り付けられている。また、特開昭６３−２２８１１９号公報や実開昭６０−１５８８０１号公報で示されたものでは、ダクト形成部材が成形品などで作られ、その通風孔が斜め上に向けて開けられている。また、それと同等の効果が得られるように、実開昭５６−４２２０２号公報や実開昭５６−１６４０１５号公報のものでは、筐体側壁の材質である板状の金属部材を直接に曲げて通風孔自体を斜めに形成したものがあった。
【０００５】
一方、医療装置でも小型化することは必須な１つの課題であり、極力装置外面から突き出す突起状のものを削減することや、冷却風が通風孔を通過しやすくして装置内部に設置する冷却ファンを小型化するなどの方策をとっていく必要があった。
【０００６】
【発明が解決しようとする課題】
前述したように、通常の装置の外装（筐体）は金属製の板状部材が広く使用されていたが、このような構造において、前述したひさしなどのような突起を作らず、かつ冷却風をスムーズに通過させることのできるストレートな通風孔の形状のものとして、図１５で示すように、筐体１の側壁２に、単に通風ダクト用孔３をあけたものの方がよい。
【０００７】
この構造の場合、図１５で示すように、その通風ダクト用孔３から筐体１の内側に侵入する液体４は筐体内壁面を伝わって筐体底部に設けた液体除去孔５から外へ排出されることから電気的な安全は保てると考えられている。
【０００８】
しかし、実際には、図１６で示すように、液体が通風ダクト用孔３に沿って落ち、または通風ダクト用孔３の縁を伝って落ちる際、通風ダクト用孔の下側端縁部４ａに液体が当たると、装置内部に勢いよく液体６が飛び跳ねることがある。この液体６が装置内部に設置された電気部品等へ悪影響を与える懸念がある。
【０００９】
したがって、図１５で示した構造のものでは、電気部品を外装内側面に近づけて設置しておくことができなくなり、部品のレイアウト上の制限があり、装置を小型化することができない。
【００１０】
本発明は、外装部材に開口部を有するものであっても、その開口部からの液体の進入防止に対して、外装部材の外側に突起等を設けることなく、冷却風の通過性能を確保し、筐体装置の、より一層の小型化を図ることを目的とする。
【００１１】
【課題を解決するための手段】
請求項１に係る発明は、外装部材の側壁の一部に、少なくとも１つの通風用開口部を有する筐体装置において、上記開口部は、外装部材の側壁自体を穿って形成された孔からなり、さらに、上記外装部材の側壁面に垂直に投影したときに上記開口部の下側端部のみを覆う面を備えたカバー部材を、上記外装部材の内壁面から離間して設置したことを特徴とするものである。
【００１２】
請求項２に係る発明は、請求項１において、上記開口部を覆うカバー部材の面が上記外装部材の内壁面に対して上側の方が下側の方に比べて上記外装部材の内壁面から大きく離れて傾いていることを特徴とする筐体装置である。
請求項３に係る発明は、請求項１または請求項２において、上下に長い複数の開口部を左右に一列に並べて配置し、複数の開口部にわたって上記カバー部材を配置したことを特徴とする筐体装置である。
請求項４に係る発明は、請求項１、請求項２または請求項３において、上記外装部材は内視鏡用光源装置の筐体であることを特徴とする筐体装置である。
【００１３】
本発明によれば、装置の外装部材近傍まで装置内部の部品が設置可能となり、装置内の部品を効率的にレイアウトすることができ、また、通風への影響を極力少なくする構造であるから、ファンによる空気の損失が抑えられ、ファンの小型化を可能とする。
【００１４】
【発明の実施の形態】
（第１実施形態）
本発明の第１実施形態に係る筐体装置について図１〜図３を参照して説明する。
【００１５】
本実施形態の筐体装置１１の外観を図１で示す。筐体装置１１の外装部材１２は通常、金属または樹脂製の板状部材で作られている場合が多い。ここでも、板状部材で矩形状の筐体として作られている。
【００１６】
外装部材１２の側壁（リア側等の壁を含む）１３は略垂直（鉛直）であり、この側壁１３には筐体装置１１内を冷却する図示しない冷却風が通る、開口部としての換気用ダクト１４が形成されている。
【００１７】
図２で示すように、上記換気用ダクト１４は長丸孔形状をした複数の通風孔１５を有してなり、各通風孔１５は上下に長く、同じ長さのものである。複数の通風孔１５は左右に一列に並び、その長さを揃いて平行に配設されている。
【００１８】
図２で示すように、上記外装部材１２の側壁１３の内面には、上記開口部としての換気用ダクト１４に向き合って配置されるカバー部材２０が取り付けられている。このカバー部材２０は金属または樹脂製の帯状に長い板部材の両端をそれぞれクランク状に折り曲げて全体として略コの字状に形成されている。そして、カバー部材２０は換気用ダクト１４を左右に横切って配置されると共に、上記カバー部材２０の両端部２１を上記外装部材１２の内側壁面に直接に接合して接着や溶接またはビス止めなどによって固定的に取り付けられている。カバー部材２０の両端部２１は換気用ダクト１４の領域を避けた左右の位置の壁面に固定されている。
【００１９】
図３で示すように、上記カバー部材２０は、上記外装部材１２の側壁面に垂直に投影したとき、上記換気用ダクト１４の開口部の少なくとも下側端部を覆うように配置されている。本実施形態では換気用ダクト１４の開口部の下側端部のみを覆うように上記カバー部材２０が配置されている。
【００２０】
また、換気用ダクト１４の開口部に対向する、カバー部材２０の面は図２で示すように、上記外装部材１２の内壁面から離間しており、その内壁面に平行である。
【００２１】
上記換気用ダクト１４の真下に位置する、上記外装部材１２の底壁２２の部分には上記換気用ダクト１４から侵入した液体を外へ排出する複数の液体除去孔２３が貫通して形成されている。また、これらの液体除去孔２３は底壁２２の隅に寄って配設されている。
【００２２】
次に、第１実施形態に対する作用について述べる。仮に筐体装置１１に液体がかかり、上記換気用ダクト１４の開口部分から外装部材１２の内部に液体が侵入しようとする場合、その換気用ダクト１４の通風孔１５から侵入する液体が、通風孔１５の下側端縁部１５ａに当たって跳ねて飛んでも、そのしぶきはカバー部材２０で受け止められ、液体が外装部材１２の内部奥まで入り込むことを防ぐ。
【００２３】
さらに、装置内に進入した流体は、上記ダクト１４の下方に流下し、そのダクト１４の真下に位置する液体除去孔２３から装置外部に除去される。
【００２４】
（第２実施形態）
本発明の第２実施形態に係る筐体装置について図４〜図６を参照して説明する。
【００２５】
本実施形態の筐体装置１１は換気用ダクト１４の通風孔１５が上下２列の場合を示す。左右に並ぶ複数の通風孔１５の列（群）の上下に配置されており、カバー部材２０は２列の通風孔１５群の間に位置して配置されている。図６で示すように、正面から見て、つまり、上記外装部材１２の側壁面に対し、上記カバー部材２０を垂直に投影したとき、上側の列の通風孔１５の下側の一部分と、下側の通風孔１５の上側一部分の両者にわたり被さるようにカバー部材２０が設置されている。
【００２６】
また、図４および図５で示すように、換気用ダクト１４に対向するカバー部材２０の面は外装部材１２の内壁面と平行ではなく、角度を持たせ、傾いている。この傾斜する向きは上側の方が外装部材１２の内壁面から大きく離れるものである。つまり、カバー部材２０は図５で示すように、それを横方向から見たとき、外装部材１２の内壁面から内部部品２４までのスペース２５内で傾きを持っている。
【００２７】
尚、本実施形態の他の構成については前述した第１実施形態の構成と同じである。
【００２８】
次に、本実施形態の作用について述べる。カバー部材２０は上側の方が外装部材１２の内壁面に対して傾いて設置されているので、換気用ダクト１４の通風孔１５を通じて流れる冷却風１６への抵抗を少なくする。しかも、換気用ダクト１４の上側の通風孔１５から侵入する液体が通風孔１５の下側端縁部１５ａによって跳ね飛んでもそのしぶきをカバー部材２０が受け止め、液体が外装部材１２の内部の奥に入り込むことを防ぐ。
【００２９】
液体が外装部材１２にかかり、外装部材１２の外面を伝わり落ちる流体はまず先に上側の通風孔１５から侵入し、通風孔１５の下側端縁部１５ａによって跳ね飛ぶが、この液体をカバー部材２０によって効率的に遮断できる。カバー部材２０は上述した向きに傾いているので、その面に沿って流下する液体は外装部材１２の内面に寄せられ、内部部品２４から離れるように流れ落ち、流れの勢いがある場合であっても、外装部材１２の内面に伝わって滑らかに流れ落ちるようになる。従って、液体が内部部品２４にかかることが極力防止される。
【００３０】
また、カバー部材２０は、２列の通風孔１５の間に位置して、上側の列の通風孔１５の下側一部分と、下側の通風孔１５の上側一部分のみを覆うように配置されているので、カバー部材２０が、上記ダクト１４の通風性能を阻害しない。
【００３１】
尚、通風孔１５から侵入した液体が通風孔１５の下側端縁部１５ａによって跳ね飛ぶ現象は上側の通風孔１５の方が激しいので、下側の通風孔１５の下側端縁部１５ａをカバー部材２０で覆わなくてもその効果は十分に期待に沿う。
【００３２】
本発明の筐体装置は内視鏡用光源装置に適用できるが、内視鏡用光源装置についての内部構造の例を以下に述べる。
【００３３】
図７は、光源ランプ３１から内視鏡のファイバー３２における入射端３３までの構造の一例を概略的に示す。図７において示すように、光源ランプ３１の光は、光学フィルター３５と、レンズ３６を通して、上記入射端３３に入射する。ここで、上記光学フィルター３５は前段の反射型光学フィルター３７と後段の吸収型光学フィルター３８から成っている。
【００３４】
上記光学フィルター３５は、第１取付リング４１に組み込まれて、ユニット化され、図８で示すように、回転式ターレット板４２に組み付けられるようになっている。
【００３５】
また、回転式ターレット板４２には、上記光学フィルター３５とは別の光学フィルター４３が設けられ、この第２光学フィルター４３も、第２取付リング４４に組み込まれてユニット化され、図８で示すように、回転式ターレット板４２に組み付けられる。そして、ターレット板４１には光学フィルター３５と第２光学フィルター４３と非常灯ユニット４５がセットされる。
【００３６】
上記ターレット板４２には第１光学フィルター３５を保持する第１取付リング４１を装着する第１リング受けスリット４６と、第２光学フィルター４３を保持する第２取付リング４４を装着する第２リング受けスリット４７が設けられている。
【００３７】
なお、図示しないが、上記各取付リング４１，４４をターレット板４２に装着固定する手段は上述したものの他に弾性部材による付勢やビス固定など様々なものが考えられる。
【００３８】
図９は第１取付リング４１及び第２取付リング４４を真横から見たものであり、両取付リング４１，４４はターレット板４２の両リング受けスリット４６，４７に嵌る環状の凹部５１，５２を中間部に形成してなり、凹部５１，５２の位置は前後に偏り、その中心に対して非対称な形状となっている。そして、本実施形態の場合、図９で示す如く、各取付リング４１，４４の片方の厚さが順に「Ａ＜Ｂ＝＜Ｃ＜Ｄ」（Ａ＞Ｂ＞＝Ｃ＞Ｄでも可）となっている。また、凹部５１，５２の径は「φＥ＞φＦ」（φＥ＜φＦでも可）となっている。
【００３９】
図９で示す場合、同図９の（ａ）で示すものを第１取付リング４１とし、同図９の（ｂ）で示すものを第２取付リング４４としているが、その逆でも良い。
【００４０】
また、図１０はターレット板４２を横から見た図であり、図１１はターレット板４２の斜視図である。図１０及び図１１で示すように、ターレット板４２の第１リング受けスリット４６の入り口にはそのスリット部分を覆うように第１アーチ状の部品５６が設けられ、ターレット板４２の第２リング受けスリット４７の入り口にはそのスリット部分を覆うように第２アーチ状の部品５７が設けられている。そして、ターレット板４２の板面からのそれぞれの部品５６，５７の高さαとβが「Ａ＜α＜Ｂ＝＜Ｃ＜β＜Ｄ」となっている。
【００４１】
さらに、図１１で示すように、第１リング受けスリット４６の幅Ｘと第２リング受けスリット４７の幅Ｙが、「Ｘ＞Ｙ」（Ｘ＜Ｙでも可）となっている。
【００４２】
本実施形態によれば、ターレット板４２の第１リング受けスリット４６と第２リング受けスリット４７にはそれに対応した光学フィルター用取付リング４１，４４のみが嵌め込み可能になる。しかも、第１リング受けスリット４６と第２リング受けスリット４７に対する取付リング４１，４４の向きも一方向に定まり、一つのパターンでしか装着できない。
【００４３】
この理由は以各寸法を「Ａ＜α＜Ｂ＝＜Ｃ＜β＜Ｄ」と「φＥ＞φＦ」と「Ｘ＞Ｙ」にすることにより、第１取付リング４１と第２取付リング４２が、ターレット板４２のリング受けスリット４６とリング受けスリット４７のどちらか一方に、しかも、一方向に向けてしか装着できないようになる。
【００４４】
さらに具体的に述べれば、第１取付リング４１は「Ａ＜α＜Ｂ」とすることで、図１０（ａ）の方向にしか装着できなくなり、「φＥ＞φＦ」と「Ｘ＞Ｙ」になっていることで、第１リング受けスリット４６にしか装着できない。一方、第２取付リング４４は「Ｃ＜β＜Ｄ」とすることで、図１０（ｂ）の方向にしか装着できなく、「Ａ＜α＜Ｂ＝＜Ｃ＜β＜Ｄ」になっていることで、第２リング受けスリット４７にしか装着できない。したがって、両取付リング４１，４２と両アーチ状の部品５６，５７の各寸法を、「Ａ＜α＜Ｂ＝＜Ｃ＜β＜Ｄ」と「φＥ＞φＦ」と「Ｘ＞Ｙ」にすることにより、全ての逆差し防止を可能とすることができることになる。
【００４５】
また、図１２（ａ）に示すような、曲げターレット板６１と傾斜取付リング６２の形態のものとしてもよく、この場合、リング受けスリットの縁に折曲げ片部６０を形成し、この部分の寸法「φＫ、φＬ、Ｍ、Ｎ」を変化させることにより、前記の場合とほぼ同様な誤差しを防止できる。同図１２（ｂ）は曲げターレット板６１の第１傾斜リング受けスリット６３と第２傾斜リング受けスリット６４を非対称に形成した形態を示している。
【００４６】
一方、図１３で示すものは、筐体装置内に設置する基板７１と、その基板７１に実装された発熱を伴う電子部品７２の近傍に、ビス７３などにより、基板取付部品７４を接合して設けたものである。
【００４７】
この形態によれば、基板７１に実装された発熱を伴う電子部品７２にヒートシンクなどの熱対策部品を別に設けることなく、基板取付部品７４に熱７５を導くことにより、その冷却を行うことができる。これにより、部品点数を削減することができるので、装置の小型化に寄与する。
【００４８】
また、図１４で示すものは、光源装置のフロントパネル８１に、別部材の光漏れ防止板８２を設置した例である。光漏れ防止板８２をフロントパネル８１に取り付ける方法は、図示しないビスや、嵌め込み式などが考えられる。この構造によれば、前述した図７で示したランプ３１からの光が装置内で乱反射し、図１４で示す光源装置のフロントパネル８１を照らし、さらに外部に漏れてしまう光を、光漏れ防止板８２によって防ぐことができ、製品としての品位が向上する。
【００４９】
尚、本発明は上記の実施形態のものに限定されるものではない。
【００５０】
【発明の効果】
本発明によれば、外装部材の側壁の一部にある開口部から装置内部に飛び散る液体を遮断する構造をコンパクトに構成できるので、筐体装置の外装近傍まで、装置の内蔵部品をレイアウトすることができ、かつ装置外部に突起を設ける必要もなく、本筐体装置を適用する装置の小型化が図れる。また、開口部の少なくとも下側端部を覆うカバー部材の面が上記外装部材の内壁面に対して傾けたものでは、そのカバー部材が冷却風の妨げる割合を軽減し、冷却ファンを小型にすることができ、装置のさらなる小型化が図れる。
【図面の簡単な説明】
【図１】本発明の第１実施形態に係る筐体装置外観の斜視図。
【図２】上記筐体装置の換気用ダクト付近を装置の内側から見た斜視図。
【図３】上記筐体装置の換気用ダクトを覆うカバー部材を換気用ダクトに投影した図。
【図４】本発明の第２実施形態に係る筐体装置の換気用ダクト付近を装置の内側から見た斜視図。
【図５】上記筐体装置の換気用ダクト付近の側面図。
【図６】上記筐体装置の換気用ダクトを覆うカバー部材を換気用ダクトに投影した図。
【図７】内視鏡用光源装置の光源構造を概略的に示す説明図。
【図８】光源装置においての取付リングを装着した回転式ターレット板の斜視図。
【図９】（ａ）（ｂ）は内視鏡用光源装置の回転式ターレット板に装着する取付リングの側面図。
【図１０】（ａ）（ｂ）は取付リングを装着した状態での回転式ターレット板の側面図。
【図１１】内視鏡用光源装置の回転式ターレット板の斜視図。
【図１２】（ａ）は回転式ターレット板に取付リングを装着した側面図、（ｂ）はその回転式ターレット板の斜視図。
【図１３】筐体装置内に設置する基板に発熱を伴う電子部品を実装し、これの近傍に基板取付部品を設けた例の斜視図。
【図１４】光源装置のフロントパネルには光漏れ防止板を設置した例の斜視図。
【図１５】従来の筐体装置の換気用ダクト付近を装置内から見た斜視図。
【図１６】従来の筐体装置の換気用ダクト付近を拡大して見た斜視図。
【符号の説明】
１１…筐体装置
１２…外装部材
１３…側壁
１４…換気用ダクト
１５…通風孔
２０…カバー部材
【図１】
0003762616.tif 000002
【図２】
0003762616.tif 000003
【図３】
0003762616.tif 000004
【図４】
0003762616.tif 000005
【図５】
0003762616.tif 000006
【図６】
0003762616.tif 000007
【図７】
0003762616.tif 000008
【図８】
0003762616.tif 000009
【図９】
0003762616.tif 000010
【図１０】
0003762616.tif 000011
【図１１】
0003762616.tif 000012
【図１２】
0003762616.tif 000013
【図１３】
0003762616.tif 000014
【図１４】
0003762616.tif 000015
【図１５】
0003762616.tif 000016
【図１６】
0003762616.tif 000017